(57)【要約】【課題】操作が簡単で、かつセキュリティを強化することができる集合住宅用エレベータの運転システムを提供する。【解決手段】集合住宅の玄関階に乗場釦を設置せず、上記集合住宅の居住者の居宅の鍵または個人を識別する手段によって居住者を識別し、識別時にエレベータかご室の呼び及び居住階を行先階として登録する居住者識別装置３を設置すると共に、この居住者識別装置３による呼び登録に応答し、玄関階に着床して戸を開き、所定時間後に戸を閉じて上記行先階まで走行するようにされ、行先釦が設置されていないエレベータかご室及び上記居住者の外出を検出し、上記居住者の居住階への上記エレベータかご室の呼びを登録する外出検出器６を備えた構成とする。【選択図】        図１
2005022821.tif 000002
【特許請求の範囲】
【請求項１】
集合住宅の玄関階及び各居住階に乗場釦を設置せず、上記集合住宅の居住者の居宅の鍵または個人を識別する手段によって居住者を識別し、識別時にエレベータかご室の呼び及び居住階を行先階として登録する居住者識別装置を設置すると共に、この居住者識別装置による呼び登録に応答し、玄関階に着床して戸を開き、所定時間後に戸を閉じて上記行先階まで走行するようにされ、行先釦が設置されていないエレベータかご室及び上記居住者の外出を検出し、上記居住者の居住階への上記エレベータかご室の呼びを登録する外出検出器を備えた集合住宅用エレベータの運転システム。
【請求項２】
上記個人を識別する手段は、カードリーダであることを特徴とする請求項１記載の集合住宅用エレベータの運転システム。
【請求項３】
上記個人を識別する手段は、指紋照合装置であることを特徴とする請求項１記載の集合住宅用エレベータの運転システム。
【請求項４】
上記エレベータかご室の玄関階着床時の戸開き時間は、居住者識別装置からエレベータかご室までの乗客の移動時間にもとづいて決定することを特徴とする請求項１〜請求項３のいずれか１項記載の集合住宅用エレベータの運転システム。
【請求項５】
上記エレベータかご室内には行先階表示装置が設けられ、上記居住者識別装置による行先階登録にもとづいて点灯すると共に、行先階への到着時に消灯するようにされたことを特徴とする請求項１〜請求項４のいずれか１項記載の集合住宅用エレベータの運転システム。
【請求項６】
玄関階及び各居宅には、訪問者と居住者との連絡用のインターホンが設けられると共に、各居宅には訪問者の入館を許可する許可手段が設けられ、上記許可手段の動作時にエレベータかご室を玄関階に着床させると共に、許可した居住者の居住階を行先階として登録するようにしたことを特徴とする請求項１〜請求項５のいずれか１項記載の集合住宅用エレベータの運転システム。
【請求項７】
上記外出検出器は、各居宅のドアの開閉に応じてオン、オフするスイッチまたはドアの開閉を検出するセンサであることを特徴とする請求項１〜請求項６のいずれか１項記載の集合住宅用エレベータの運転システム。
【請求項８】
上記外出検出器は、各居宅のドアの施錠に応じて動作する装置であることを特徴とする請求項１〜請求項６のいずれか１項記載の集合住宅用エレベータの運転システム。
【請求項９】
玄関階以外の各階床には乗客の有無を検出する乗場乗客検出器を設け、乗客検出時に検出階床へのエレベータかご室の呼びを登録するようにしたことを特徴とする請求項１〜請求項８のいずれか１項記載の集合住宅用エレベータの運転システム。
【発明の詳細な説明】
【０００１】
【発明の属する技術分野】
この発明は、集合住宅用エレベータの運転システムに関するものである。
【０００２】
【従来の技術】
最近、マンション等の集合住宅においては、居住者以外の者が集合住宅内に自由に立ち入ることを制限するため、玄関ドアの外にテンキー等の確認装置を設置することが多くなってきている。
この場合、外出から帰った居住者は、テンキー等の確認装置を操作し暗証番号を入力して玄関ドアを開き、エレベータ乗場で乗場釦を操作してエレベータかご室を呼び寄せ、エレベータかご室内では行先釦を操作して、エレベータかご室を自分の居住階まで走行させるようにしていた。（例えば特許文献１及び２参照）
【０００３】
【特許文献１】
特開平１１−３４９２３８号公報（段落０００２、図１）
【特許文献２】
特開平６−１００２５９号公報
【０００４】
【発明が解決しようとする課題】
従来の集合住宅用エレベータの運転システムは上記のように構成されていたため、例えばテンキーで操作する暗証番号が外部の人に漏れた場合に、漏れたこと自体が居住者に分からないことが多いため、セキュリティの確保に問題が生ずる他、非居住者がひとたび入館すれば、集合住宅内のどこにでも自由に行くことができるため、セキュリティ面は更に悪化するという問題点があった。
また、玄関でテンキーを操作したにもかかわらず、エレベータを利用する際に再度、呼び登録等の釦操作が必要となり、煩わしいという問題点もあった。
【０００５】
この発明は、上記のような問題点を解消するためになされたもので、エレベータの乗客の行先のほとんどが玄関階か、あるいは玄関階から居住階である集合住宅を対象とし、操作が簡単で、かつセキュリティを強化することができるエレベータの運転システムを提供することを目的とする。
【０００６】
【課題を解決するための手段】
この発明に係る集合住宅用エレベータの運転システムは、集合住宅の玄関階及び各居住階に乗場釦を設置せず、上記集合住宅の居住者の居宅の鍵または個人を識別する手段によって居住者を識別し、識別時にエレベータかご室の呼び及び居住階を行先階として登録する居住者識別装置を設置すると共に、この居住者識別装置による呼び登録に応答し、玄関階に着床して戸を開き、所定時間後に戸を閉じて上記行先階まで走行するようにされ、行先釦が設置されていないエレベータかご室及び上記居住者の外出を検出し、上記居住者の居住階への上記エレベータかご室の呼びを登録する外出検出器を備えたものである。
【０００７】
【発明の実施の形態】
実施の形態１．
以下、この発明の実施の形態１を図にもとづいて説明する。図１は、実施の形態１による集合住宅用エレベータの運転システムの構成を示す概略図である。
この運転システムは、集合住宅用エレベータを制御する制御装置もしくは複数台のエレベータをグループとして制御する群管理装置１と、セキュリティシステム２とを備え、更に、以下に述べる各装置を備えている。
【０００８】
即ち、玄関階のエレベータ乗場側には、集合住宅の居住者個人を識別し、識別時にエレベータかご室の呼びを登録すると共に、識別した居住者の居住階を行先階として登録する居住者識別装置３と、エレベータかご室の呼びが登録されたことを示す乗場呼び登録灯４と、訪問者が居住者と連絡を取るためのインターホン５とが設けられているが、乗場釦は設けられていない。なお、居住者識別装置３は、具体的には例えば、居住者の居宅の鍵を識別して居住階を判別する装置、または居住者が登録したカードをカードリーダによって読み取ることにより、居住者個人を識別する個人認識装置あるいは指紋照合によって居住者個人を認識する指紋照合装置等によって構成されるものである。
【０００９】
また、各居住階には、居住者がエレベータを利用するために外出したことを検出し、エレベータかご室を居住階に呼び寄せるための乗場呼びを登録する外出検出器６と、乗場呼びが登録されたことを示す乗場呼び登録灯７と、乗場でのエレベータの利用客の有無を検出し、積み残し乗客等がいる場合には追加呼びを登録する乗場乗客検出器８とが設けられているが、乗場釦は設けられていない。
なお、上記外出検出器６は、具体的には例えば、居住者が居宅のドアを開閉する際、それに応じてオン、オフするスイッチまたはドアの開閉を検出するセンサあるいはドアの施錠を検出する装置等によって構成されるものである。
【００１０】
また、居住者の各居宅には、訪問者が玄関階に訪ねて来た際、玄関階のインターホン５と接続して連絡を取るためのインターホン９と、訪問者を自宅へ招き入れる際に操作して、エレベータかご室を玄関階に着床させると共に、自己の居住階を行先階として登録する許可釦１０とが設けられている。
更に、エレベータかご室内には、行先階を表示する行先階表示灯１１が設けられている。
【００１１】
次に、実施の形態１の動作を図にもとづいて説明する。図２は、居住者が玄関階から居宅へ向かう場合を示すフロー図、図３は、訪問者が玄関階から訪問先へ向かう場合を示すフロー図、図４は、居住者が外出のために居宅から玄関階へ向かう場合を示すフロー図である。
【００１２】
先ず、居住者が玄関階から居宅へ向かう場合には、図２に示すように、ステップＳ１で玄関階に設けられた居住者識別装置３により、居住者かどうかの識別を行なう。即ち、居住者識別装置３が鍵の識別装置である場合には、自宅の鍵を所定の鍵穴に挿入して予め登録された鍵であるかどうかを識別し、居住者識別装置３がカードリーダ装置である場合には、カードリーダにカードをセットして予め登録されたカードであるかどうかを識別し、また、居住者識別装置３が指紋照合装置である場合には、所定の指を指紋照合装置に当接して予め登録された指紋であるかどうかを識別する。
【００１３】
この識別によって居住者であることが認定された場合には、エレベータかご室の玄関階への呼びが登録されると共に、識別信号がセキュリティシステム２に伝達される。次に、ステップＳ２で、セキュリティシステム２が識別信号にもとづいて情報処理し、何階の居住者であるかを識別して居住階の信号及び呼び登録許可信号をエレベータ制御装置１に伝達する。
エレベータ制御装置１は、上記の信号を受け取ると、実際に呼びを登録し、ステップＳ３で乗場呼び登録灯４を点灯させると共に、ステップＳ４でエレベータかご室を玄関階に着床させ、戸を開く。
【００１４】
ステップＳ３で点灯させた乗場呼び登録灯４は、エレベータかご室を呼び寄せていることを玄関階の乗客である居住者に知らせるためのものであり、エレベータかご室が玄関階へ到着した時に消灯する。この時、乗客を乗場に置き去りにした状態でエレベータかご室を出発させないために、エレベータかご室の玄関階到着後の戸開き時間は、ステップＳ５で居住者識別装置３からエレベータかご室までの乗客の移動時間にもとづいて決定される。
乗客がエレベータかご室に乗り込むと、セキュリティシステム２からの情報により、すでに行先階として居住階が登録されているため、ステップＳ６でエレベータかご室内の行先階表示灯１１を点灯させて行先階を表示する。
その後、戸閉めを完了すると、ステップＳ７でエレベータかご室が登録されている行先階に向けて走行する。
【００１５】
次に、訪問者があった場合には、図３に示すように、ステップＳ１１で訪問者が玄関階のインターホン５から訪問先の居住者を呼び出し、居宅のインターホン９とで通話を行なう。訪問先の居住者が訪問者を迎え入れる場合には、居住者は自宅のインターホン９に設けられている許可釦１０を押す。
許可釦１０の操作の情報はセキュリティシステム２に伝達される。
ステップＳ１２でセキュリティシステム２は、何階で許可釦１０が操作されたかを識別し、エレベータ制御装置１に伝達する。
【００１６】
エレベータ制御装置１は伝達された識別信号に従って玄関階の乗場呼び登録灯４を点灯させ、玄関階の訪問者を訪問先の階床へ輸送するためにエレベータかご室を玄関階へ着床させる。この動作及びこれ以降の動作はステップＳ１３に示すように、図２のステップＳ３〜Ｓ７で居住者が居宅へ向かう時の動作と同様である。なお、各居宅に設けられた許可釦１０はセキュリティシステム２を介さずに直接、エレベータ制御装置１に接続するようにしてもよい。
【００１７】
また、居住者が外出する場合には、図４に示すように、ステップＳ２１で各居宅の外出検出器６が動作して、その情報がエレベータ制御装置１に伝達され、自動的に居住階の乗場呼びが登録される。乗場呼びが登録されると、ステップＳ２２で、居住階の乗場側に設置されている乗場呼び登録灯７が点灯し、エレベータかご室が居住階に到着するまで点灯し続ける。
次に、ステップＳ２３で、エレベータかご室が呼び登録のあった居住階に着床し、戸を開けると共に、乗場呼び登録灯７が消灯する。
【００１８】
エレベータかご室の戸開き時間は、ステップＳ２４で、居宅からエレベータかご室までの乗客の移動時間にもとづいて決定される。
居宅から乗場までの移動時間が長い場合は、エレベータ制御装置１はその時間を考慮に入れてエレベータかご室を走行させる。乗客がエレベータかご室に乗り込むと、ステップＳ２５でエレベータかご室内の行先階表示灯１１には玄関階が表示されており、戸閉め完了後、ステップＳ２６でエレベータかご室が玄関階へ向けて走行する。
【００１９】
なお、居住階では、玄関階と異なり、複数の居宅の外出検出器６から同時間帯に呼び登録される場合があり、各居宅から乗場までの距離によっては、乗場への到着時間が異なるため、遅く乗場に到着した乗客は積み残される可能性がある。
そこで、エレベータかご室が出発したにもかかわらず、居住階乗場側に設置された乗場乗客検出器８によって乗客が検出された場合には、ステップＳ２７で新たに追加呼びを登録し、再度、エレベータかご室を当該居住階へ呼び寄せてステップＳ２２〜Ｓ２６の動作を繰り返すようにしている。
また、エレベータかご室が居住階に到着しても、すでに他の乗客で混雑していたため、乗り込みを見送った場合なども乗場乗客検出器８による追加呼びが行なわれることになる。
【００２０】
【発明の効果】
この発明に係る集合住宅用エレベータの運転システムは、集合住宅の玄関階及び各居住階に乗場釦を設置せず、上記集合住宅の居住者の居宅の鍵または個人を識別する手段によって居住者を識別し、識別時にエレベータかご室の呼び及び居住階を行先階として登録する居住者識別装置を設置すると共に、この居住者識別装置による呼び登録に応答し、玄関階に着床して戸を開き、所定時間後に戸を閉じて上記行先階まで走行するようにされ、行先釦が設置されていないエレベータかご室及び上記居住者の外出を検出し、上記居住者の居住階への上記エレベータかご室の呼びを登録する居住者外出検出器を備えたものであり、乗場釦及びエレベータかご室内の行先釦なしでエレベータの運転システムを稼動させるものであるため、集合住宅への不審者の侵入を防止することができ、セキュリティの強化、防犯効果が期待できる。また、乗客が乗場に到着する前に呼びを登録するため、乗場での待時間を大幅に短縮することができる他、エレベータ制御装置は、呼び情報を早めに取り込むことができるため、エレベータかご室の各階床への移送を、より効率的に行なうことができる。
【図面の簡単な説明】
【図１】この発明の実施の形態１による集合住宅用エレベータの運転システムの構成を示す概略図である。
【図２】実施の形態１において、居住者が玄関階から居宅へ向かう場合の動作を示すフロー図である。
【図３】実施の形態１において、訪問者が玄関階から訪問先へ向かう場合の動作を示すフロー図である。
【図４】実施の形態１において、居住者が外出のために居宅から玄関階へ向かう場合の動作を示すフロー図である。
【符号の説明】
１  エレベータ制御装置、      ２  セキュリティシステム、      ３  居住者識別装置、      ４、７  乗場呼び登録灯、      ５、９  インターホン、６  外出検出器、      ８  乗場乗客検出器、      １０  許可釦、１１  行先階表示灯。
【図１】
2005022821.tif 000003
【図２】
2005022821.tif 000004
【図３】
2005022821.tif 000005
【図４】
2005022821.tif 000006